(57)【要約】【課題】試料上の複数位置における１以上のパラメータ変化に対する試料の変化の様子を簡易に対比観察する。【解決手段】レーザ光を出射するレーザ光源５と、該レーザ光源５から出射されたレーザ光を試料Ａ上の複数の画像取得位置に照射する照明光学系６，７と、試料Ａに照射するレーザ光の集光深さ、照射時刻またはレーザ光を照射した結果得られる検出光の波長の少なくとも１つのパラメータを変化させるパラメータ変更手段１０と、該パラメータ変更手段１０によりパラメータを変化させつつ試料Ａの複数の画像取得位置から戻る検出光を検出してそれぞれ画像情報を取得する画像取得光学系８と、該画像取得光学系８により取得された画像情報を表示する表示手段１１と、これらを制御する制御手段１２とを備え、該制御手段１２が、試料Ａの複数の画像取得位置におけるパラメータを変化させた画像情報を複数同時に表示手段１１に表示させるレーザ顕微鏡１を提供する。【選択図】      図１
2008275762.tif 000002
【特許請求の範囲】
【請求項１】
レーザ光を出射するレーザ光源と、
該レーザ光源から出射されたレーザ光を試料上の複数の画像取得位置に照射する照明光学系と、
該照明光学系により試料に照射するレーザ光の集光深さ、照射時刻、または、レーザ光を照射した結果得られる検出光の波長の少なくとも１つのパラメータを変化させるパラメータ変更手段と、
該パラメータ変更手段によりパラメータを変化させつつ前記試料の複数の画像取得位置から戻る検出光を検出してそれぞれ画像情報を取得する画像取得光学系と、
該画像取得光学系により取得された画像情報を表示する表示手段と、
これらを制御する制御手段とを備え、
該制御手段が、前記試料の複数の画像取得位置におけるパラメータを変化させた画像情報を複数同時に前記表示手段に表示させるレーザ顕微鏡。
【請求項２】
前記制御手段が、パラメータを変化させた複数の画像情報の内の一部の画像情報を選択して表示させる請求項１に記載のレーザ顕微鏡。
【請求項３】
前記画像情報が、２次元的な画像であり、
前記表示手段に表示されている前記画像またはその周囲の余白部分を指定する指定手段を備え、
前記制御手段が、前記指定手段により指定された画像の周囲に対応する試料上の位置、または指定された画像の周囲の余白部分に対応する試料上の位置の画像を取得して表示するよう前記レーザ光源、前記照明光学系、前記パラメータ変更手段、前記画像取得光学系および前記表示手段を制御する請求項１または請求項２に記載のレーザ顕微鏡。
【請求項４】
前記画像情報が、２次元的な画像であり、
前記表示手段に表示されている前記画像を指定する指定手段を備え、
前記制御手段が、前記指定手段により指定された画像の取得を停止するよう前記レーザ光源、前記照明光学系、前記パラメータ変更手段、前記画像取得光学系および前記表示手段を制御する請求項１または請求項２に記載のレーザ顕微鏡。
【請求項５】
前記画像情報が、所定の注目位置における検出光の輝度と前記パラメータとの関係を示すグラフである請求項１または請求項２に記載のレーザ顕微鏡。
【請求項６】
前記画像情報が、２次元的な画像の時間変化を示すアニメーション画像である請求項１または請求項２に記載のレーザ顕微鏡。
【請求項７】
試料上の複数の画像取得位置において照射するレーザ光の集光深さ、照射時刻またはレーザ光を照射した結果得られる検出光の波長の少なくとも１つのパラメータを変化させつつ取得された複数の画像情報を、変化させたパラメータの各値毎に配列して同時に表示するレーザ顕微鏡の画像表示方法。
【請求項８】
前記画像情報が、所定の注目位置における検出光の輝度と前記パラメータとの関係を示すグラフである請求項７に記載のレーザ顕微鏡の画像表示方法。
【請求項９】
前記画像情報が、２次元的な画像の時間変化を示すアニメーション画像である請求項７に記載のレーザ顕微鏡の画像表示方法。
【発明の詳細な説明】
【技術分野】
【０００１】
本発明は、レーザ顕微鏡とその画像表示方法に関するものである。
【背景技術】
【０００２】
従来、顕微鏡の１視野内に入らない比較的大きな試料の観察に際し、ＸＹステージ上に配置した試料を顕微鏡の対物レンズに対してその光軸に直交する方向に移動させつつ画像を取得し、取得された複数の画像を１画面上に２次元的に配列することにより、比較的広い観察範囲全体を俯瞰する光学顕微鏡とその表示方法が知られている（例えば、特許文献１参照。）
【０００３】
【特許文献１】特開平５−３１３０７１号公報
【発明の開示】
【発明が解決しようとする課題】
【０００４】
レーザ光を用いたレーザ顕微鏡では、例えば、レーザ光による点照明を走査して走査画像を取得したり、複数の光学的断層像を取得して標本の３次元構造を画像化したりする等、一般の顕微鏡に比較してより微細な標本構造を観察することができる。
しかしながら、生細胞のような試料をレーザ顕微鏡で観察する場合、俯瞰したい範囲は光軸に直交する２次元的な範囲に限られず、例えば、時間軸、照射するレーザ光の波長、レーザ光の集光深さなどの種々のパラメータが存在する。このため、特許文献１に示されるように、取得された複数の画像を１画面上に２次元的に配列するだけでは、生細胞の成長過程の観察などのように、観察対象が、時間的および空間的に変化する場合における各位置の変化の様子を確認することができないという不都合がある。
【０００５】
本発明は上述した事情に鑑みてなされたものであって、試料上の複数位置における１以上のパラメータ変化に対する試料の変化の様子を簡易に対比して観察することができるレーザ顕微鏡とその画像表示方法を提供することを目的としている。
【課題を解決するための手段】
【０００６】
上記目的を達成するために、本発明は以下の手段を提供する。
本発明は、レーザ光を出射するレーザ光源と、該レーザ光源から出射されたレーザ光を試料上の複数の画像取得位置に照射する照明光学系と、該照明光学系により試料に照射するレーザ光の集光深さ、照射時刻またはレーザ光を照射した結果得られる検出光の波長の少なくとも１つのパラメータを変化させるパラメータ変更手段と、該パラメータ変更手段によりパラメータを変化させつつ前記試料の複数の画像取得位置から戻る検出光を検出してそれぞれ画像情報を取得する画像取得光学系と、該画像取得光学系により取得された画像情報を表示する表示手段と、これらを制御する制御手段とを備え、該制御手段が、前記試料の複数の画像取得位置におけるパラメータを変化させた画像情報を複数同時に前記表示手段に表示させるレーザ顕微鏡を提供する。
【０００７】
本発明によれば、レーザ光源から出射されたレーザ光が照明光学系により試料上の複数の画像取得位置に照射されると、各画像取得位置において発生した蛍光、反射光等の検出光が画像取得光学系により検出され画像情報が取得される。パラメータ変更手段の作動により、レーザ光の集光深さ、照射時刻または検出光の波長の少なくとも１つのパラメータが変化させられるので、取得された複数の画像取得位置の画像情報は、それぞれ、パラメータの変化と対応づけて取得することができる。そして、制御手段の作動により、このようにして取得されたパラメータを変化させた複数の画像取得位置の画像情報が、複数同時に表示手段に表示されるので、観察者は、試料の各画像取得位置におけるパラメータ変化に対する試料の変化の様子を簡易に対比して観察することができる。
【０００８】
上記発明においては、前記制御手段が、パラメータを変化させた複数の画像情報の内の一部の画像情報を選択して表示させることとしてもよい。
このようにすることで、長時間にわたる観察の間に膨大な数の画像情報が取得されても、観察に必要な数の画像情報を選択し、１画面上に表示することができる。画像情報の選択は、制御手段が自動的に行ってもよいし、観察者により指定されたものを制御手段が選択することとしてもよい。
【０００９】
また、上記発明においては、前記画像情報が、２次元的な画像であり、前記表示手段に表示されている前記画像またはその周囲の余白部分を指定する指定手段を備え、前記制御手段が、前記指定手段により指定された画像の周囲に対応する試料上の位置、または指定された画像の周囲の余白部分に対応する試料上の位置の画像を取得して表示するよう前記レーザ光源、前記照明光学系、前記パラメータ変更手段、前記画像取得光学系および前記表示手段を制御することとしてもよい。
【００１０】
このようにすることで、表示手段により表示された２次元的な画像自体またはその余白部分を観察者が指定手段により指定することにより、制御手段がレーザ光源、照明光学系、パラメータ変更手段、画像取得光学系および表示手段を制御して、指定された画像の周囲に対応する試料上の位置、または指定された画像の周囲の余白部分に対応する試料上の位置の画像が取得され表示される。これにより、観察中の画像から注目部位がその周辺に移動した場合に、移動先の試料上の位置の画像を追加して表示手段により表示させることができる。
【００１１】
また、上記発明においては、前記画像情報が、２次元的な画像であり、前記表示手段に表示されている前記画像を指定する指定手段を備え、前記制御手段が、前記指定手段により指定された画像の取得を停止するよう前記レーザ光源、前記照明光学系、前記パラメータ変更手段、前記画像取得光学系および前記表示手段を制御することとしてもよい。
【００１２】
このようにすることで、表示手段により表示された２次元的な画像を観察者が指定手段により指定することにより、制御手段がレーザ光源、照明光学系、パラメータ変更手段、画像取得光学系および表示手段を制御して、指定された画像に対応する試料上の位置へのレーザ光の照射を停止する。これにより、試料への無駄なレーザ光の照射をなくし、試料の健全性が害されるのを防止することができる。
【００１３】
また、上記発明においては、前記画像情報が、所定の注目位置における検出光の輝度と前記パラメータとの関係を示すグラフであることとしてもよい。
このようにすることで、１つのパラメータを変化させた複数位置の複数の画像情報自体に他の１つのパラメータ変化に対する試料の変化の様子を含めることができ、より多くの情報を１画面上に表示することが可能となる。これにより、観察者は、より迅速に試料の変化の様子を対比して確認することができる。
【００１４】
また、上記発明においては、前記画像情報が、２次元的な画像の時間変化を示すアニメーション画像であることとしてもよい。
このようにすることで、画像情報自体が、照射時刻という１つのパラメータの変化に対する２次元的な画像となるので、時間以外のパラメータ変化に対する複数の画像情報を１画面上に表示することが可能となる。これにより、観察者は、より迅速に試料の変化の様子を対比して確認することができる。
【００１５】
また、本発明は、試料上の複数の画像取得位置において照射するレーザ光の集光深さ、照射時刻またはレーザ光を照射した結果得られる検出光の波長の少なくとも１つのパラメータを変化させつつ取得された複数の画像情報を、変化させたパラメータの各値毎に配列して同時に表示するレーザ顕微鏡の画像表示方法を提供する。
本発明によれば、観察者は、試料の各位置におけるパラメータ変化に対する試料の変化の様子を簡易に対比して観察することができる。
【００１６】
上記発明においては、前記画像情報が、所定の注目位置における検出光の輝度と前記パラメータとの関係を示すグラフであることとしてもよい。
このようにすることで、より多くの情報を１画面上に表示でき、観察者は、より迅速に試料の変化の様子を対比して確認することができる。
【００１７】
また、上記発明においては、前記画像情報が、２次元的な画像の時間変化を示すアニメーション画像であることとしてもよい。
このようにすることで、照射時刻というパラメータの変化に対する試料の変化を含む複数の画像情報を、時間以外のパラメータ変化について配列して１画面上に表示することが可能となる。これにより、観察者は、より迅速に試料の変化の様子を対比して確認することができる。
【発明の効果】
【００１８】
本発明によれば、試料上の複数位置における１以上のパラメータ変化に対する試料の変化の様子を観察中に簡易に観察することができるという効果を奏する。
【発明を実施するための最良の形態】
【００１９】
本発明の一実施形態に係るレーザ顕微鏡１について、図１〜図１１を参照して以下に説明する。
本実施形態に係るレーザ顕微鏡１は、図１に示されるように、例えば、レーザ走査型蛍光顕微鏡であって、顕微鏡本体２と、制御装置３とを備えている。
【００２０】
顕微鏡本体２は、試料Ａを搭載するＸＹステージ４と、レーザ光を出射するレーザ光源５と、該レーザ光源５から出射されたレーザ光を２次元的に走査するスキャナ６と、該スキャナ６により走査されたレーザ光を試料Ａ上に集光させる一方、試料Ａにおいて発生した蛍光を集光する対物レンズ７と、該対物レンズ７により集光されスキャナ６を介して戻る蛍光を検出する光検出器８とを備えている。図中、符号９は光検出器８から出力される蛍光の輝度信号をＡ／Ｄ変換するＡ／Ｄ変換器である。光検出器８は、検出する波長範囲を自在に設定できる分光検出手段（例えば、グレーティングと可変スリット（図示略））を有する。
【００２１】
制御装置３は、前記顕微鏡本体２のＸＹステージ４、レーザ光源５、スキャナ６および対物レンズ７を制御して蛍光画像を取得するコントロールユニット１０と、該コントロールユニット１０に対して観察条件を指令する一方、コントロールユニット１０により取得された蛍光画像のモニタ１１への表示を制御する中央制御部１２とを備えている。中央制御部１２には、種々の観察条件を記憶する記憶装置１３と、取得された画像を記憶するメモリ１４と、観察者が観察条件等の入力を行うためのキーボードあるいはマウスのような入力装置１５と、取得された画像を表示するためのフレームメモリ１６およびモニタ１１とが接続されている。
【００２２】
前記記憶装置１３に記憶される観察条件としては、試料Ａ上の複数の画像取得位置に配される各観察範囲を特定する位置情報としてＸＹステージ４の座標値および各観察範囲を観察するための各種パラメータ設定が含まれる。
パラメータ設定としては、レーザ光源５から出射させるレーザ光の波長、強度および走査幅、レーザ光を照射した結果得られる検出光の波長、検出感度、対物レンズ７の上下動によるレーザ光の集光位置情報および時間情報等が含まれる。
【００２３】
例えば、検出波長スキャン（検出波長λの範囲を異ならせた複数回の画像取得）を行う場合には、パラメータとしては、１回の観察において走査する検出光の波長範囲の開始波長、終了波長、波長幅および１ステップの変化量が挙げられる。
また、Ｚスキャン（レーザ光の集光位置Ｚを光軸方向に異ならせた複数回の画像取得）を行う場合のパラメータであるレーザ光の集光位置情報としては、１回の観察におけるレーザ光の集光位置の開始深さ、終了深さおよび１ステップの移動量が挙げられる。
さらに、タイムラプス観察（画像取得時刻（レーザ光照射（走査）時刻Ｔ）を所定時間間隔で繰り返す観察）を行う場合のパラメータである時間情報としては、全観察時間における観察の繰り返し回数およびインターバルが挙げられる。
【００２４】
ここで、「１回の観察」とは、複数の画像取得位置のそれぞれにおいて少なくとも１つのパラメータ（λ，Ｚ，Ｔ）を変化させて複数回画像を取得する一連の画像取得動作を意味する。
【００２５】
観察者は、入力装置１５を操作して、観察条件を選択するようになっている。
中央制御部１２は、記憶装置１３に記憶されている観察条件の内、入力装置１５により選択された観察条件をコントロールユニット１０に指令するようになっている。コントロールユニット１０は、レーザ光の集光位置を試料Ａの深さ方向に変化させる観察条件が選択された場合には、ＸＹステージ４を各座標位置に移動させる毎に、対物レンズ７を開始深さから終了深さまで所定の移動量で上下動させるとともに、対物レンズ７の各上下方向位置において蛍光画像を取得するようになっている。
【００２６】
また、コントロールユニット１０は、レーザ光の波長を変化させる観察条件が選択された場合には、ＸＹステージ４を各座標位置に移動させる毎に、レーザ光の波長を開始波長から終了波長まで所定の変化量で変化させて照射させ、各波長のレーザ光を照射したときの蛍光画像を取得するようになっている。
集光位置の深さ方向への変化およびレーザ光の波長の変化を伴う観察条件が選択された場合には、ＸＹステージ４を各座標位置に移動させる毎に、これらのパラメータを組み合わせた全ての観察条件による蛍光画像の取得を行うようになっている。
【００２７】
コントロールユニット１０は、ＸＹステージ４の各座標位置、対物レンズ７の各上下位置およびレーザ光の各波長毎に、スキャナ６の作動により視野範囲内においてレーザ光を走査させ、各走査位置情報とその走査位置において取得された蛍光強度情報とに基づいて１枚の蛍光画像を構築するようになっている。
このようにして取得された蛍光画像は、そのＸＹステージ４の座標値およびそのパラメータと対応づけてメモリ１４に記憶されるようになっている。
【００２８】
例えば、図２に示されるように、ディッシュ１７に貼り付けられたショウジョウバエの複数の卵からなる試料Ａの蛍光観察を行う場合を例に挙げて、本実施形態に係るレーザ顕微鏡１の画像表示方法について説明する。この場合には、１視野範囲内に全ての試料Ａを配置することができないので、図３に示されるように、各試料の注目位置にそれぞれ視野を配置し、複数の観察位置Ｐ１〜Ｐ６についての観察が行われる。
【００２９】
図４は、複数の観察位置に対するタイムラプス観察を行うために、パラメータとして時間情報が設定された場合の表示例である。
すなわち、モニタ１１の画面上において、縦軸（Position）方向に、試料Ａ上の異なる観察位置Ｐ１〜Ｐ６（図４中においては、観察位置Ｐ１〜Ｐ４のみが表示されている。）における試料Ａの１視野の２次元的な蛍光画像が配列され、横軸（Repeat）方向には画面の右側に向かって所定のインターバルをあけて取得された取得時刻（以下、リピート番号という。）の異なる２次元的な蛍光画像が配列されるようになっている。
【００３０】
この場合、中央制御部１２は、ＸＹステージ４の座標値およびリピート番号をキーとして、メモリ１４に記憶された対応する蛍光画像を読み出し、フレームメモリ１６を介してモニタ１１に表示させるようになっている。なお、この場合、横軸が時間軸であるため、新たな蛍光画像が取得される毎に配列の最も右側の位置に最新の蛍光画像が追加されていくようになっている。モニタ１１上には、縦軸方向および横軸方向のスクロールバー１８が表示され、観察者は、入力装置１５によってスクロールバー１８を操作することにより、画面上に表示される蛍光画像を変更することができるようになっている。
【００３１】
また、図５は、レーザ光の集光位置を深さ方向に走査するために、パラメータとしてレーザ光の集光位置情報が設定された場合の表示例である。
すなわち、モニタ１１の画面上において、縦軸（Depth）方向に、画面の下側に向かって深くなる異なる深さで取得された２次元的な蛍光画像が配列され、横軸（Position）方向には、試料Ａ上の異なる観察位置Ｐ１〜Ｐ６（図５中においては、観察位置Ｐ１〜Ｐ４のみが表示されている。）における試料Ａの１視野の２次元的な蛍光画像が配列されるようになっている。
【００３２】
この場合、中央制御部１２は、ＸＹステージ４の座標値および集光位置の深さをキーとして、メモリ１４に記憶された対応する蛍光画像を読み出し、フレームメモリ１６を介してモニタ１１に表示させるようになっている。この場合においても、モニタ１１上には、縦軸方向および横軸方向のスクロールバー１８が表示され、観察者は、入力装置１５によってスクロールバー１８を操作することにより、画面上に表示される蛍光画像を変更することができるようになっている。
【００３３】
また、モニタ１１上には、リピート番号を変更するつまみ１９と、現在表示されている蛍光画像のリピート番号を表示する表示窓２０が表示されている。観察者は、入力装置１５によってつまみ１９を操作することにより、異なるリピート番号における蛍光画像群を表示することができる。
【００３４】
また、図６は、検出光の波長を走査するために、パラメータとして検出光の波長情報が設定された場合の表示例である。
すなわち、モニタ１１の画面上において、縦軸（Position）方向に、試料Ａ上の異なる観察位置Ｐ１〜Ｐ６（図６中においては、観察位置Ｐ１〜Ｐ４のみが表示されている。）における試料Ａの１視野の２次元的な蛍光画像が配列され、横軸（Lambda）方向には、画面の右側に向かって大きくなる、異なる波長範囲の蛍光を検出して取得された２次元的な蛍光画像が配列されるようになっている。
【００３５】
この場合、中央制御部１２は、ＸＹステージ４の座標値および蛍光の検出波長をキーとして、メモリ１４に記憶された対応する蛍光画像を読み出し、フレームメモリ１６を介してモニタ１１に表示させるようになっている。この場合においても、モニタ１１上には、縦軸方向および横軸方向のスクロールバー１８が表示され、観察者は、入力装置１５によってスクロールバー１８を操作することにより、画面上に表示される蛍光画像を変更することができるようになっている。
【００３６】
また、この場合にも、モニタ１１上には、リピート番号を変更するつまみ１９と、現在表示されている蛍光画像のリピート番号を表示する表示窓２０が表示されている。観察者は、入力装置１５によってつまみ１９を操作することにより、異なるリピート番号における蛍光画像群を表示することができる。
なお、複数の異なる波長のレーザ光を使用できる場合には、図６における蛍光の検出波長に代えて、レーザ光の波長を変更して取得した画像を表示することにしてもよい。
【００３７】
このように、本実施形態に係るレーザ顕微鏡１とその画像表示方法によれば、試料Ａ上の異なる観察位置Ｐ１〜Ｐ６について、所定のパラメータを変化させたときの複数の蛍光画像が同一画面上に同時に表示されるので、観察者は、異なる観察位置Ｐ１〜Ｐ６についての蛍光画像のパラメータ変化、例えば、経時変化、波長の変化に基づく変化または集光位置の深さの変化に基づく変化を一目で対比して確認することができる。
【００３８】
なお、本実施形態においては、試料Ａ上の異なる観察位置Ｐ１〜Ｐ６において取得した１視野範囲の蛍光画像を配列して表示することとしたが、これに代えて、図７に示されるように、各視野範囲内の注目点（ＲＯＩ）における輝度値のパラメータ変化を示すグラフを配列して表示することにしてもよい。図７に示す例では、縦軸（Position）方向に、試料上の異なる観察位置Ｐ１〜Ｐ６（図７中においては、観察位置Ｐ１〜Ｐ４のみが表示されている。）におけるＲＯＩの輝度のパラメータ変化を示すグラフが配列され、横軸（Repeat）方向には画面の右側に向かって所定のインターバルをあけて取得されたリピート番号の異なるグラフが配列されるようになっている。
【００３９】
このようにすることで、もう１つのパラメータ変化を１画面上に同時に表示することができ、観察者に提供する情報量を増加させることができる。グラフのパラメータとしては、時間、レーザ光の波長および集光位置の深さをそれぞれ適用することができる。
また、グラフ表示に代えて、アニメーション表示を行うこととしてもよい。
【００４０】
また、図８に示されるように、試料Ａ上の異なる観察位置Ｐ１〜Ｐ６として、隣接する複数個の視野範囲をそれぞれ採用してもよい。図８においては、隣接する２×２個の視野範囲をそれぞれの観察位置Ｐ１〜Ｐ６に設定している。図中の数字はＸＹステージ４の座標値である。
このようにすることで、より広い範囲にわたる蛍光画像の対比観察を簡易に行うことができる。
【００４１】
また、図４〜図８に示される表示例において、観察の途中でいずれかの蛍光画像について、それ以上表示することが不要であると考えられた場合には、観察者が、入力装置１５を操作して、対応する蛍光画像を選択することにより、その表示を削除できることとしてもよい。このようにすることで、不要な蛍光画像を間引いて、必要な蛍光画像のみを１画面上に同時に表示させることができる。表示の削除は、行単位、列単位、あるいは個別の蛍光画像の単位で行うことができれば便利である。
【００４２】
また、この場合には、表示のみを停止させてもよいが、対応する観察位置へのレーザ光の照射やＸＹステージ４の移動あるいは対物レンズ７の移動自体を停止することがより好ましい。このようにすることで、無駄な動作を省いて観察を効率的に行うことができ、また、無駄なレーザ光を照射しないのでエネルギを節約し、褪色等の不都合が試料Ａに発生することを防止することができる。
【００４３】
また、これとは逆に、観察者が入力装置１５を操作することにより、新たな観察位置を追加できるようにしてもよい。
例えば、図９に示されるように、３×３個の隣接する蛍光画像群を観察位置毎に表示している場合において、（ａ）に示されるように、観察者が、右上の蛍光画像（図９に示す例では符号Ｃの蛍光画像）をカーソル２１で選択することで、（ｂ）および（ｃ）に示されるように、その蛍光画像を中央に配置した新たな３×３個の隣接する蛍光画像群を表示することにしてもよい。
また、例えば、図１０に示されるように、観察者が、入力装置１５を操作して、（ａ）に示されるように、表示されている蛍光画像の周囲の余白をカーソル２１で指定することにより、（ｂ）に示されるように、指定された位置に対応する蛍光画像を追加することとしてもよい。
【００４４】
また、図１１（ａ）に示されるように、表示されている蛍光画像群を行方向あるいは列方向に複数選択（図１１（ａ）に破線で示される範囲を選択）し、その平均輝度情報等を図１１（ｂ）に示されるようにグラフ表示させることとしてもよい。配列された蛍光画像どうしの比較よりも、グラフによる比較の方が明確な場合があるからである。
【図面の簡単な説明】
【００４５】
【図１】本発明の一実施形態に係るレーザ顕微鏡を示す全体構成図である。
【図２】図１のレーザ顕微鏡により観察する試料の一例を示す平面図である。
【図３】図２の試料における観察位置の一例を示す平面図である。
【図４】図１のレーザ顕微鏡により取得された蛍光画像の第１の表示例であって、各監察位置の蛍光画像の時間変化を示す図である。
【図５】図１のレーザ顕微鏡により取得された蛍光画像の第２の表示例であって、各監察位置の蛍光画像のレーザ光の集光位置に対する変化を示す図である。
【図６】図１のレーザ顕微鏡により取得された蛍光画像の第３の表示例であって、各監察位置の蛍光画像のレーザ光の波長に対する変化を示す図である。
【図７】図１のレーザ顕微鏡により取得された蛍光画像の第４の表示例であって、各監察位置の蛍光画像の所定の注目点における輝度のパラメータ変化をグラフで示す図である。
【図８】図１のレーザ顕微鏡により取得された蛍光画像の第５の表示例であって、複数の隣接画像からなる各監察位置の蛍光画像の時間変化を示す図である。
【図９】図１のレーザ顕微鏡により取得された蛍光画像の第６の表示例であって、観察中における新たな画像の追加表示方法を説明する図である。
【図１０】図１のレーザ顕微鏡により取得された蛍光画像の第７の表示例であって、観察中における新たな画像の他の追加表示方法を説明する図である。
【図１１】図１のレーザ顕微鏡により取得された蛍光画像の第８の表示例であって、（ａ）画像表示から（ｂ）グラフ表示に切り替える場合を説明する図である。
【符号の説明】
【００４６】
Ａ  試料
Ｐ１〜Ｐ６  観察位置（位置）
１  レーザ顕微鏡
５  レーザ光源
６  スキャナ（照明光学系）
７  対物レンズ（照明光学系）
８  光検出器（画像取得光学系）
１０  コントロールユニット（パラメータ変更手段）
１１  モニタ（表示手段）
１２  中央制御部（制御手段）
１５  入力手段（指定手段）
【図１】
2008275762.tif 000003
【図２】
2008275762.tif 000004
【図３】
2008275762.tif 000005
【図４】
2008275762.tif 000006
【図５】
2008275762.tif 000007
【図６】
2008275762.tif 000008
【図７】
2008275762.tif 000009
【図８】
2008275762.tif 000010
【図９】
2008275762.tif 000011
【図１０】
2008275762.tif 000012
【図１１】
2008275762.tif 000013